(57)【特許請求の範囲】
【請求項１】
コンピュータから出力される画像信号が入力される画像入力部と、この画像入力部から入力された画像信号に基づいて光学像を形成する画像表示部とを備えた画像表示装置であって、
前記画像入力部に入力された前記画像信号の信号情報を検出する信号情報検出手段と、
前記画像表示部の信号情報に対応する設定情報と前記信号情報とを比較判定する判定手段と、
前記信号情報検出手段により検出された信号情報及び前記判定手段による比較判定結果を、当該画像表示装置に接続され前記画像信号を出力するコンピュータ及び当該画像表示装置を構成する画像表示部に出力する信号情報出力手段と
を備え、
前記信号情報出力手段は、前記信号情報に含まれる解像度が前記画像表示部でサポートされていない値である場合は、前記画像信号が前記画像表示装置に適合していないというメッセージを出力することを特徴とする画像表示装置。
【請求項２】
請求項１に記載の画像表示装置において、
前記信号情報は、前記画像信号の色数情報を含み構成されていることを特徴とする画像表示装置。
【請求項３】
請求項１乃至２のいずれかに記載の画像表示装置において、前記画像表示部は、光源ランプから出射された光束を前記画像信号に応じて変調する光変調系と、この光変調系により変調された変調光束を投写面に拡大投写する投写レンズユニットとを備えていることを特徴とする画像表示装置。
【発明の詳細な説明】
【０００１】
【発明の属する技術分野】
本発明は、画像信号が入力される画像入力部と、この画像入力部から入力された画像信号に基づいて光学像を形成する画像表示部とを備えた画像表示装置に関する。
【０００２】
【背景技術】
従来より、画像信号が入力される画像入力部と、この画像入力部から入力された画像信号に基づいて光学像を形成する画像表示部とを備えた画像表示装置が利用され、このような画像表示装置の画像入力部にコンピュータ、ビデオ等を接続することにより、コンピュータ等からの画像信号をスクリーン投写面等の大画面に表示することができるので、コンピュータによるマルチメディアプレゼンテーションシステムを効率的に構築することができる。
【０００３】
ここで、画像表示装置の画像入力部は、種々のメディアによるプレゼンテーションを可能とするために、コンピュータ画像信号、ビデオ画像信号等の異なる信号種類を入力可能に構成されている。各画像信号の入力系統には、専用の回路が設けられ、これにより画像信号の種類に応じて画像表示部に光学像を形成することができる。
【０００４】
【発明が解決しようとする課題】
しかしながら、同じ入力系統から入力される画像信号であっても、その画像信号が持つ信号情報が異なる場合がある。すなわち、コンピュータから出力される画像信号であれば、コンピュータの設定、種類によっては、解像度、水平、垂直同期周波数等の信号情報が異なる場合がある。また、ビデオ画像信号であれば、ＮＴＳＣ方式、ＰＡＬ方式、ＳＥＣＡＭ方式等のテレビジョン方式に関する信号情報が異なる場合がある。
【０００５】
一方、画像表示装置の画像表示部は所定の信号情報に対応できる値に設定されている。従来の画像表示装置では、入力される画像信号の信号情報が外部デバイス等に出力できないので、画像信号が画像表示部の設定に適合しているかどうかを直ちに判別することが困難であるという問題がある。特に、コンピュータから出力される画像信号の場合、解像度等の信号情報は、画像表示装置に接続されるコンピュータの設定を実際に確認しなければ判別することができず、手間がかかるという問題がある。
【０００６】
本発明の目的は、画像信号が入力される画像入力部と、この画像入力部から入力された画像信号に基づいて光学像を形成する画像表示部とを備えた画像表示装置において、画像信号が画像表示部の設定に適合しているかどうかを容易に確認することのできる画像表示装置を提供することにある。
【０００７】
【課題を解決するための手段】
前記目的を達成するために、本発明に係る画像表示装置は、画像信号が入力される画像入力部と、この画像入力部から入力された画像信号に基づいて光学像を形成する画像表示部とを備えた画像表示装置であって、前記画像入力部の入力系統に応じて前記画像信号の信号情報を検出する信号情報検出手段と、この信号情報検出手段により検出された信号情報をデバイスに出力する信号情報出力手段と、を備えていることを特徴とする。
【０００８】
ここで、「入力系統に応じた画像信号の信号情報」とは、上述したコンピュータから出力されるＲＧＢ信号であれば信号情報としては、例えば、ＶＧＡ、ＳＶＧＡ、ＸＧＡ、ＳＸＧＡ等の解像度およびリフレッシュレート、同期極性、属性、周波数を含む信号情報が考えられる。一方、ビデオカメラ等からのコンポジット信号であれば、テレビジョン方式に関する信号情報が考えられ、例えば、入力された画像信号がＮＴＳＣ方式、ＰＡＬ方式、ＳＥＣＡＭ方式のいずれの方式に基づく画像信号であるかを、信号情報として検出することが考えられる。
【０００９】
さらに、上述したデバイスとしては、例えば、画像表示装置を構成する画像表示部、画像表示装置に設けられるＬＥＤ等のインディケータ、画像表示装置に接続され、画像信号を出力しているコンピュータ等が考えられる。
【００１０】
このような本発明によれば、画像表示装置が信号情報検出手段および信号情報出力手段を備えているので、入力される画像信号の信号情報を検出し、特定のデバイスに出力することにより、画像信号が画像表示部の設定に適合しているかを容易に確認することができる。
【００１１】
また、画像信号がコンピュータから出力されるＲＧＢ信号である場合、信号情報に当該ＲＧＢ信号の解像度を含んでいれば、画像表示部で表示可能な解像度と、入力された画像信号の解像度とを比較することができるので、ＲＧＢ信号を画像表示部に適した解像度に調整することができ、コンピュータから不必要に高解像度のＲＧＢ信号が出力される状態を解消することができる。
【００１２】
以上において、画像入力部から入力される画像信号がＲＧＢ信号の場合、上述した信号情報は、このＲＧＢ信号の色数情報を含んで構成されているのが好ましい。
【００１３】
すなわち、画像表示部により表示できる色数にも上限があり、信号情報が画像信号の色数情報を含んでいれば、解像度と同様に、ＲＧＢ信号を画像表示部で表示できる適切な色数に設定することができ、コンピュータから不必要に多色設定されたＲＧＢ信号が出力される状態を解消することができる。
【００１４】
また、上述した画像表示装置は、画像表示部の信号情報に対応する設定情報と前記信号情報とを比較判定する判定手段を備え、上述した信号情報出力手段は、前記信号情報とともにこの判定手段による比較判定結果を出力するのが好ましい。
【００１５】
すなわち、画像表示装置が判定手段を備えているので、画像信号が画像表示部の設定に適合しているかどうかを自動的に判定し、信号情報出力手段によりこの判定結果を出力することが可能となり、画像信号が画像表示部の設定に適合しているかの確認を一層容易に行うことができる。
【００１６】
さらに、上述した信号情報出力手段が信号情報を出力するデバイスとしては、画像表示装置に接続され、画像信号を出力するコンピュータ、画像表示装置を構成する画像表示部が考えられる。
【００１７】
信号情報の出力先がコンピュータであれば、画像信号が画像表示部の設定と適合しない場合、コンピュータの出力画像信号を直ちに画像表示部の設定に適合できるように調整することができる。また、信号情報の出力先が画像表示装置を構成する画像表示部であれば、画像表示装置の起動と同時に画像信号が画像表示部の設定に適合しているかどうかを確認することができる。
【００１８】
【発明の実施の形態】
以下、本発明の実施の一形態を図面に基づいて説明する。
【００１９】
図１には、本発明の実施形態に係る画像表示装置となる投写型の画像表示装置１構造を表すブロック図が示されている。
【００２０】
画像表示装置１は、不図示のコンピュータ、ビデオ等が接続される画像入力部１０と、画像入力部１０に入力された画像信号を変換する信号処理部２０と、信号処理部２０で変換された画像信号により光学像を形成する画像表示部３０とを含んで構成される。
【００２１】
画像入力部１０は、コンピュータから出力されるＲＧＢ信号Ｓ１を入力するＲＧＢ入力端子１１、ビデオから出力されるコンポジット信号Ｓ２を入力するビデオ入力端子１２を備えている。この画像入力部１０と画像表示部３０との間には、画像信号Ｓ１、Ｓ２の入力系統に応じてそれぞれ信号情報検出手段１３が設けられている。この信号情報検出手段１３には、検出された信号情報をデバイス出力するために、信号情報出力手段１４が接続されているとともに、検出された信号情報および画像表示部３０の設定情報を比較判定する判定手段１５が接続されている。
【００２２】
信号情報検出手段１３は、ＲＧＢ信号Ｓ１の入力系統に配置されるＰＣ信号情報検出手段１３１およびコンポジット信号Ｓ２の入力系統に配置されるビデオ信号情報検出手段１３２とを備えている。すなわち、ＰＣ信号情報検出手段１３１は、ＲＧＢ入力端子１１から入力されるＲＧＢ信号Ｓ１の信号情報を検出するものであり、ビデオ信号情報検出手段１３２は、ビデオ入力端子１２から入力されるコンポジット信号Ｓ２の信号情報を検出するものであり、これらの信号情報検出手段１３１、１３２は、画像信号Ｓ１、Ｓ２に応じた信号情報を検出できる公知の回路が採用されている。
【００２３】
例えば、ＲＧＢ入力端子１１からＲＧＢ信号Ｓ１が入力された場合、ＲＧＢ信号Ｓ１の解像度およびリフレッシュレート、同期極性、属性、周波数等を信号情報として検出する。また、ビデオ端子１２からコンポジット信号Ｓ２が入力された場合、当該コンポジット信号Ｓ２のテレビジョン方式、例えば、コンポジット信号Ｓ２がＮＴＳＣ方式、ＰＡＬ方式、ＳＥＣＡＭ方式のいずれであるかを信号情報として検出する。
【００２４】
信号情報出力手段１４は、信号情報検出手段１３により検出された信号情報を種々のデバイスに出力するものであり、後述する信号情報処理系２３を介して画像表示部３０に接続されているとともに、画像表示装置１からコンピュータ等に検出された信号情報を出力するために、出力端子１６と接続されている。判定手段１５は、検出された信号情報と画像表示部３０の設定情報との比較判定を行うものである。画像信号の信号情報が画像表示部３０の設定情報と異なり、画像信号が画像表示部３０に適合していないと判定した場合、判定手段１５から適合していない旨の判定信号を信号情報出力手段１４に出力し、信号情報出力手段１４では、検出された信号情報とともに、この判定信号を出力する。尚、画像表示部３０の設定情報は、この判定手段１５の不図示の記憶領域に格納され、判定手段１５による判定に際しては、逐次呼び出されるようになっている。
【００２５】
信号処理部２０は、ＲＧＢ信号処理系２１、ビデオデコーダ２２、信号情報処理系２３を含んで構成される。ＲＧＢ信号処理系２１は、ＲＧＢ信号Ｓ１を増幅するビデオアンプ２１１と、増幅されたＲＧＢ信号Ｓ１をＡ／Ｄ変換するＡ／Ｄコンバータ２１２とから構成され、ＲＧＢ入力端子１１と上述したＲＧＢ信号情報検出手段１３１との間に配置されている。一方、ビデオデコーダ２２は、ビデオ入力端子１２から入力されるコンポジット信号Ｓ２を解読し、デジタルのＲＧＢ信号に変換するものであり、上述したビデオ信号情報検出手段１３２と画像表示部３０との間に配置されている。
【００２６】
信号情報処理系２３は、上述した信号情報検出手段１３により検出された信号情報を所定のフォーマット上に表示するためのものである。具体的には、上述したＲＧＢ信号Ｓ１であれば、図２に示すように、ＲＧＢ信号Ｓ１の周波数（Ｆｒｅｑｕｅｎｃｙ）、同期極性（Ｓｙｎｃ  Ｐｏｌａｒｉｔｙ）、同期属性（Ｓｙｎｃ  Ｍｏｄｅ）、解像度およびリフレッシュレート（Ｄｅｔｅｃｔｅｄ  Ｃｏｍｐ  Ｍｏｄｅ）を順次表示するように構成されている。
【００２７】
画像表示部３０は、光源ランプから出射された光束を、画像信号に応じて変調する光変調系９２５（後述）と、この光変調系９２５により変調された変調光束を投写面に拡大投写する形式の投写型のものであり、図３に示すように、光源ランプユニット８と、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する光変調系９２５と、変調後の各色光束を合成する色合成光学系としてのプリズムユニット９１０とを含んで構成されている。
【００２８】
照明光学系９２３は、光源ランプユニット８から出射された光束Ｗの光軸１ａを装置前方向に折り曲げる反射ミラー９３１と、この反射ミラー９３１を挟んで配置される第１のレンズ板９２１および第２のレンズ板９２２とを備えている
第１のレンズ板９２１は、マトリクス状に配置された複数の矩形レンズを有しており、光源から出射された光束を複数の部分光束に分割し、各部分光束を第２のレンズ板９２２の近傍で集光させる。
【００２９】
第２のレンズ板９２２は、マトリクス状に配置された複数の矩形レンズを有しており、第１のレンズ板９２１から出射された各部分光束を光変調系９２５を構成するライトバルブ９２５Ｒ、９２５Ｇ、９２５Ｂ（後述）上に重畳させる機能を有している。
【００３０】
このように、本例の画像表示装置１では、照明光学系９２３により、液晶ライトバルブ９２５Ｒ、９２５Ｇ、９２５Ｂ上をほぼ均一な照度の光で照明することができるので、照度ムラのない投写画像を得ることができる。
【００３１】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００３２】
赤色光束Ｒはこの青緑反射ダイクロイックミラー９４１を通過して、後方の反射ミラー９４３で直角に反射されて、赤色光束Ｒの出射部９４４からプリズムユニット９１０の側に出射される。次に、青緑反射ダイクロイックミラー９４１において反射された青色、緑色光束Ｂ、Ｇのうち、緑反射ダイクロイックミラー９４２において、緑色光束Ｇのみが直角に反射されて、緑色光束Ｇの出射部９４５から色合成光学系の側に出射される。この緑反射ダイクロイックミラー９４２を通過した青色光束Ｂは、青色光束Ｂの出射部９４６から導光系９２７の側に出射される。本例では、照明光学系９２３の光束Ｗの出射部から、色分離光学系９２４における各色光束の出射部９４４、９４５、９４６までの距離が全て等しくなるように設定されている。
【００３３】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
【００３４】
このように平行化された赤色、緑色光束Ｒ、Ｇは、入射側偏光板９６０Ｒ、９６０Ｇを通って液晶ライトバルブ９２５Ｒ、９２５Ｇに入射して変調される。一方、青色光束Ｂは、導光系９２７を介して対応する液晶ライトバルブ９２５Ｂに導かれ、同様に変調が施される。
【００３５】
液晶ライトバルブ９２５Ｒ、９２５Ｇ、９２５Ｂは、ｐ−ｓｉ−ＴＦＴをスイッチング素子として用いたアクティブマトリクス方式の液晶パネルであり、図３では図示を略したが、各液晶ライトバルブ９２５Ｒ、９２５Ｇ、９２５Ｂの画素を駆動するために、データ側駆動ドライバおよび走査側駆動ドライバを備えている。
【００３６】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９２５Ｂに入射して変調される。各色光束の光路長、すなわち、光源ランプ１８１から各液晶パネルまでの距離は青色光束Ｂが最も長くなり、したがって、この光束の光量損失が最も多くなる。しかし、導光系９２７を介在させることにより、光量損失を抑制できる。
【００３７】
そして、各液晶ライトバルブ９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズユニット６を介して所定の位置にある投写面１００上に拡大投写されるようになっている。
【００３８】
次に、上述した画像表示装置１の表示動作を、コンピュータから出力されるＲＧＢ信号Ｓ１が入力された場合について説明する。
【００３９】
▲１▼  画像表示装置１のＲＧＢ端子１１にコンピュータを接続した後、コンピュータ、画像表示装置１を起動する。
【００４０】
▲２▼  画像表示装置１を起動すると、入力されるＲＧＢ信号Ｓ１のモード判別が自動的に開始される。具体的には、ＰＣ信号情報検出手段１３１は、ＲＧＢ信号処理系２１により増幅、Ａ／Ｄ変換されたＲＧＢ信号Ｓ１から、解像度、リフレッシュレート、同期極性、同期属性、周波数を信号情報として検出し、判定手段１５による判定結果とともに、信号情報を信号情報処理系２３に出力し、図２に示すフォーマットに基づいて、信号情報を投写面１００上に表示する。
【００４１】
▲３▼  ここで、ＲＧＢ信号Ｓ１の場合、信号情報の各項目は、次のような規則に基づいて表示される。尚、図２における画面表示では、以下に説明する信号情報の他、ランプ使用時間（Ｌａｍｐ  Ｏｐｅｒａｔｉｏｎ  Ｔｉｍｅ）、ランプ交換回数（Ｌａｍｐ  Ｒｅｐｌａｃｅｍｅｎｔ  Ｔｉｍｅ）、ランプＯＮ／ＯＦＦ回数（Ｌａｍｐ  ＯＮ／ＯＦＦ）が表示される。
【００４２】
(1)  解像度およびリフレッシュレート
解像度は、ＶＧＡ、ＳＶＧＡ、ＸＧＡ、ＳＸＧＡ等のＤＯＳ／Ｖ系コンピュータの解像度表示の他、マッキントッシュ系ではＭａｃ１３、Ｍａｃ１６等、ＯＳ（Ｏｐｅｒａｔｉｎｇ  Ｓｙｓｔｅｍ）に応じた表示形式で表示する。リフレッシュレートは、解像度表示に続けてＨｚ単位で数値表示する。
【００４３】
(2)  同期極性（Ｓｙｎｃ  Ｐｏｌａｒｉｔｙ）
同期極性は、水平（Ｈ）および垂直（Ｖ）の各々について、ＰｏｓｉｔｉｖｅまたはＮｅｇａｔｉｖｅのいずれかを表示する。
【００４４】
(3)  同期属性（Ｓｙｎｃ  Ｍｏｄｅ）
同期属性は、Ｓｅｐａｒａｔｅ  Ｓｙｎｃ、Ｃｏｍｐｏｓｉｔｅ  Ｓｙｎｃ、Ｓｙｎｃ−ｏｎ−ｇｒｅｅｎのいずれかを表示する。
【００４５】
(4)  Ｈ／Ｖ周波数
水平（Ｈ）および垂直（Ｖ）の周波数を表示するが、コンピュータより画像信号がある、すなわち映像入力がある場合、当該画像信号の周波数を表示する。
【００４６】
一方、画像信号がない、すなわち映像入力がない場合、
Ｈ：−−−．−−ｋＨｚ  Ｖ：−−−．−−Ｈｚ
を画面上に表示する。さらに、周波数のカウンタがオーバーフローした場合、
Ｈ：９９９．９９ｋＨｚ  Ｖ：９９９．９９Ｈｚ
を画面上に表示する。
【００４７】
(5)  比較判定結果
上述の信号情報が画像表示装置１でサポートされていない値である場合、判定手段１５によりＲＧＢ信号Ｓ１が画像表示装置１に適合していないと判断され、図２の画面上部に「コンピュータからの入力が画像表示装置に適合していません。コンピュータの画像信号設定を変更して下さい。」というメッセージが表示される。尚、上述した(1)〜(5)の情報はコンピュータのディスプレイ上にも表示される。
【００４８】
▲４▼  ＲＧＢ信号Ｓ１と画像表示装置１とにずれがある場合、トラッキング、シンク、ポジションを適正な値に設定するために、画像表示装置１内で自動映像調整を行って投写面１００の上に適正な光学像を形成する。
【００４９】
▲５▼  尚、このような画像信号のモード判別および自動映像調整は、画像表示装置１の起動時のみならず、コンピュータからビデオへの切り替え時、複数のコンピュータ間の切り替え時、等にも自動的に行われる。そして、切り替え前の設定は、信号処理部２０に設けられる不図示のＳＲＡＭ上に保存され、例えば、コンピュータにおいてマシンＩ→マシンII→マシンＩという切り替え動作があった場合、最後のマシンＩの設定はＳＲＡＭ上の設定をそのまま使えるので、自動映像調整におけるトラッキング調整を省略することができる。
【００５０】
▲６▼  一方、画像信号がビデオ入力端子１２から入力されるコンポジット信号Ｓ２である場合、ビデオ信号情報検出手段１３２により当該コンポジット信号Ｓ２のテレビジョン方式が表示され、上述したＲＧＢ信号Ｓ１の場合のような同期極性、同期属性、Ｈ／Ｖ周波数は表示されない。尚、テレビジョン方式を表示する場合、具体的には、ＮＴＳＣ、ＰＡＬ、ＳＥＣＡＭ等の文字が画面表示される。
【００５１】
以上のような実施形態によれば、以下のような効果がある。
【００５２】
▲１▼  画像表示装置１がＰＣ信号情報検出手段１３１および信号情報出力手段１４を備えているので、入力されるＲＧＢ信号Ｓ１の信号情報を検出し、画像表示部３０に出力表示することにより、ＲＧＢ信号Ｓ１が画像表示部３０の設定に適合しているかを容易に確認することができる。
【００５３】
▲２▼  また、信号情報がＲＧＢ信号Ｓ１の解像度を含み、この解像度に関する情報が信号情報出力手段１４により画像表示部３０に表示されるので、ＲＧＢ信号Ｓ１の解像度が画像表示装置１の設定と適合しているかを直ちに確認することができ、コンピュータから不必要に高解像度のＲＧＢ信号が出力される状態を解消することができる。
【００５４】
▲３▼  さらに、画像表示装置１が判定手段１５を備えているので、ＲＧＢ信号Ｓ１が画像表示部３０の設定に適合しているかどうかを自動的に判定し、その結果を信号情報とともに画像表示することができ、画像信号の適合性の確認を一層容易に行うことができる。
【００５５】
▲４▼  そして、上述した信号情報が画像表示部３０およびコンピュータのディスプレイに表示されるので、画像表示装置の起動と同時にＲＧＢ信号Ｓ１が画像表示部３０の設定に適合しているかを確認することができるうえ、コンピュータのディスプレイ上にも表示されるので、ＲＧＢ信号Ｓ１の設定変更を行う場合も、適合性を容易に確認することができる。
【００５６】
尚、本発明は、前述の実施形態に限定されるものではなく、次に示すような変形をも含むものである。
【００５７】
すなわち、前記実施形態では、画像表示部に表示される信号情報は、英語に基づく信号情報の表示であったが、これに限られず、例えば、図４に示す画面表示のように、日本語に基づいた信号情報の表示であってもよく、さらには、これら双方の表示を備え、スイッチ等の切り替えにより、いずれかの表示を選択するように構成してもよい。
【００５８】
また、前記実施形態では、本発明は投写型の画像表示装置１に利用されていたが、これに限らず、プラズマディスプレイ（ＰＤＰ）等の大型の画像表示装置、ヘッドマウントディスプレイ等の画像表示装置に本発明を利用してもよい。
【００５９】
さらに、前記実施形態では、ｐ−ｓｉ−ＴＦＴをスイッチング素子とするアクティブマトリクス方式の液晶ライトバルブ９２５Ｒ、９２５Ｇ、９２５Ｂからなる光変調系９２５を備えた画像表示部３０に本発明を利用していたが、他の構造の光変調系であっても本発明を利用することができ、例えば、ＤＭＤ（Ｄｅｆｏｒｍａｂｌｅ  Ｍｉｒｒｏｒ  Ｄｉｓｐｌａｙ  電子ディスプレイ オーム社刊PP.291-292）や、ＳＳＬＭ（Ｓｏｌｉｄ  Ｓｔａｔｅ  Ｌｉｇｈｔ  Ｍｏｄｕｌａｔｏｒ）型のの光変調手段を用いた画像表示手段を備えた投写型表示装置であっても、前記実施形態で述べた効果と同様の効果を享受することができる。
【００６０】
そして、前記実施形態では、ＲＧＢ信号情報検出手段１３１は、ＲＧＢ信号Ｓ１の信号情報として解像度、リフレッシュレート、同期極性、同期属性、周波数しか検出していなかったが、これに加えて画面の色数情報を検出して表示してもよい。
【００６１】
その他、本発明の実施の際の具体的な構造および形状等は、本発明の目的を達成できる範囲で他の構造等としてもよい。
【００６２】
【発明の効果】
前述のように本発明によれば、画像表示装置が信号情報検出手段および信号情報出力手段を備えているので、入力される画像信号の信号情報を検出し、特定のデバイスに出力することにより、画像信号が画像表示部の設定に適合しているかどうかを容易に確認することができる。
【図面の簡単な説明】
【図１】本発明の実施形態に係る画像表示装置の構造を表すブロック図である。
【図２】前記実施形態における画像表示装置による信号情報表示画面の一例を表す図である。
【図３】前記実施形態における画像表示部の構造を表す模式図である。
【図４】図２の変形となる信号情報表示画面の一例を表す図である。
【符号の説明】
１  画像表示装置
６  投写レンズユニット
８  光源ランプユニット
１０  画像入力部
１３  信号情報検出手段
１４  信号情報出力手段
１５  判定手段
３０  画像表示部（デバイス）
１００  投写面
１３１  ＰＣ信号情報検出手段
１３２  ビデオ信号情報検出手段
９２５  光変調系
Ｓ１、Ｓ２  画像信号
【図１】
0003968853.tif 000002
【図２】
0003968853.tif 000003
【図３】
0003968853.tif 000004
【図４】
0003968853.tif 000005